(57)【特許請求の範囲】
【請求項１】
画像形成装置であって、
前記画像形成装置の筐体の内に設置され、第１の媒体を載置する第１供給部と、
像担持体に形成したトナー画像を転写位置で前記第１の媒体に転写する画像形成部と、
前記転写位置で転写されたトナー画像を加熱、加圧により第１温度で定着する定着部と、
前記定着部の近傍に位置し、前記画像形成装置の筐体から該筐体の外方向に張り出して設けられ、第２の媒体を載置する第２供給部と、
前記定着部にて加熱、加圧された前記第１の媒体及び前記第２の媒体が排紙される排紙部と、
前記第１供給部から供給される前記第１の媒体を前記画像形成部に向けて搬送し、かつ前記転写位置から前記定着部を経て、前記排紙部に向けて搬送する第１搬送路と、前記転写位置と前記定着部との間で前記第１搬送路に合流し、前記第２供給部から供給された第２の媒体を、前記転写位置を通過させることなく前記定着部に搬送する第２搬送路を有する搬送部と、
前記第２搬送路による第２の媒体のシート搬送を選択すると、前記第２供給部に載置されている第２の媒体を前記第２搬送路に供給するよう制御し、前記第２搬送路を搬送される第２の媒体を、前記定着部を経て前記排紙部に向けて搬送させると共に、前記定着部を前記第１温度よりも高温の第２温度に制御する制御部と、
を有する画像形成装置。
【請求項２】
請求項１に記載の画像形成装置において、
前記第２の媒体は、前記第２温度以上の温度で消色する消色性トナーにより画像が形成されていることを特徴とする画像形成装置。
【請求項３】
請求項１または２に記載の画像形成装置において、
前記制御部は、前記第２搬送路によるシート搬送を選択した場合、前記第２搬送路との合流点から第１搬送路の搬送上流側における前記第１搬送路のシート搬送動作を停止させることを特徴とする画像形成装置。
【請求項４】
請求項３に記載の画像形成装置において、
前記制御部は、画像形成プロセス動作も停止させることも特徴とする画像形成装置。
【請求項５】
請求項１から４のいずれかに記載の画像形成装置において、
前記排紙部は、前記第１搬送路から前記定着部を経て搬送されたシートを保持する第１シート保持部と、前記第２搬送路から前記定着部を経て搬送されたシートを保持する第２シート保持部と、前記第１シート保持部と前記第２シート保持部に対するシートの排出先を仕分ける仕分け部を有することを特徴とする画像形成装置。
【発明の詳細な説明】
【技術分野】
【０００１】
この実施形態は、画像形成機能および消色機能を備えた画像形成装置に関するものである。
【背景技術】
【０００２】
従来、消色性色材を用いてシートに画像を印刷する技術が提案されている。消色性色材は、例えば、所定の温度以上に加熱されると色が消える特性を有している。そのため、消色性色材を用いることで同じシートに対して印刷と消色を繰返し行うことができる。印刷と消色をそれぞれ別の装置で行う場合もあるが、例えば画像形成装置に消色機能を具備させることもできる。
【発明の概要】
【発明が解決しようとする課題】
【０００３】
ところで、印刷機能に加えて消色機能を具備した画像形成装置において、画像形成プロセスユニットによりシート上に転写したトナー画像をシートに加熱定着させる定着部を、消色処理用の定着部として用いることが提案される。
【０００４】
定着部を消色処理用の定着部として兼用させる構成において、画像形成のためのシートの搬送経路をそのまま利用して消色処理のための定着部まで搬送しようとすると、シートは画像形成プロセスユニットのトナー画像転写位置を通過する必要がある。このため、消色処理の動作中において、画像形成プロセスユニットを駆動しなければならなかった。
【０００５】
本発明は、消色処理用のシートが転写位置を通過することなく定着部に搬送できる搬送経路を備えた画像形成装置を提供することを目的とするものである。
【課題を解決するための手段】
【０００６】
像担持体に形成したトナー画像を転写位置で第１の媒体に転写する画像形成部と、前記転写位置で転写されたトナー画像を加熱、加圧により第１温度で定着する定着部と、第１の媒体を前記転写位置から前記定着部を経て、排紙部に向けて搬送する第１搬送路と、前記転写位置と前記定着部との間で前記第１搬送路に合流する第２搬送路を有する搬送部と、前記第２搬送路による第２の媒体のシート搬送を選択すると、前記第２搬送路を搬送される第２の媒体を前記定着部を経て前記排紙部に向けて搬送させると共に、前記定着部を前記第１温度よりも高温の第２温度に制御する制御部と、を有する画像形成装置。
【図面の簡単な説明】
【０００７】
【図１】第１実施形態に係る画像形成装置の概略構成を表す図である。
【図２】図１の画像形成装置の構成を表す制御ブロック図である。
【図３】図１の画像形成モードを選択することができる操作部を表す図である。
【図４】図３の画像形成装置において、操作部で印刷モードを選択した場合のセパレータ付排紙トレイの状態を表す図である。
【図５】図３の操作部で消色モードを選択した場合のセパレータ付排紙トレイの状態を表す図である。
【図６】第２実施形態に係る画像形成装置の概略構成を表す図である。
【図７】第２実施形態に係る画像形成装置の構成を表す制御ブロック図である。
【図８】第３実施形態に係る画像形成装置の概略構成を表す図である。
【図９】図８の画像形成装置の構成を表す制御ブロック図である。
【図１０】第４実施形態に係る画像形成装置の概略構成を表す図である。
【図１１】第５実施形態に係る画像形成装置の概略構成を表す図である。
【発明を実施するための形態】
【０００８】
以下、本実施形態について図面を参照して詳細に説明する。
【０００９】
（第１実施形態）
図１は、第１実施形態に係る画像形成装置１の概略構成を表す図である。以下、本実施形態である画像形成装置１はＭＦＰ（Multi Function Peripheral）１として説明する。
【００１０】
ＭＦＰ１は、画像形成部１０と、シートを加熱、加圧する定着部３０と、排紙部４０と、シートを収納する給紙カセット部５０と、第１シート搬送部６０と、操作部７０と、第２シート搬送部１００と、セパレータ付排紙トレイ４００を備える。
【００１１】
給紙カセット部５０は、複数の給紙カセット５１を上下に多段配置しており、シートを収納する。給紙カセット５１に収納されたシートは給紙ローラ５２によって、シート搬送路６３に搬送される。
【００１２】
第１シート搬送部６０は、給紙されたシート（第１の媒体）を、シート搬送ローラ６１によりレジストローラ６２に搬送し、レジストローラ６２により所定のタイミングで画像形成部１０の転写位置Ｔに搬送し、さらに定着部を経て排紙部４０に搬送する。
【００１３】
画像形成部１０は、感光体ドラム１３の周りに、レーザ露光器１１と、現像器１２と、帯電器１４と、クリーナ１５と、転写ローラ１６を配置している。レーザ露光器１１は、例えば、図２に示すメモリ部５０１に読み取られた原稿情報に基づいてレーザ光を感光体ドラム１３の表面に照射することで、感光体ドラム１３表面に静電潜像を形成する。静電潜像は、現像器１２によりトナー画像として現像される。現像器１２は例えば消色性色材である消色トナーを収容することができる。転写ローラ１６は、転写位置Ｔにおいてトナー画像をシートに転写する。クリーナ１５は、転写後に感光体ドラム１３に残ったトナーを除去する。帯電器１４は、感光体ドラム１３表面の電位を一様にする。
【００１４】
現像器１２に収容される消色性トナーは、例えば熱可塑性樹脂をベースに、加熱により色が無色となる色材を分散させたものである。消色性トナーは、所定の消色温度（Ｔ１）以上に加熱されると無色透明になる。ここで、消色性トナーが加熱により溶融する定着温度（Ｔ２）は、消色温度（Ｔ１）より低温となる。
【００１５】
ＭＦＰ１が画像形成処理を行う場合において、定着部３０は未定着トナー画像が転写されたシートを温度Ｔ２で加熱、加圧することで、トナー画像はシートに定着する。また、ＭＦＰ１が消色処理を行う場合、定着部３０が消色可能なトナー画像が形成されたシートを温度Ｔ１で加熱、加圧することにより、消色可能なトナー画像は消色する。
【００１６】
トナー画像をシートに定着させる定着部は、通常は一対の加熱ローラおよび加圧ローラでシートを加熱、加圧する。本実施形態においては、例えば定着部３０は、二対の加熱ローラおよび加圧ローラを備えることができる。この二対の加熱ローラおよび加圧ローラおいては、一対の加熱ローラおよび加圧ローラは、もう一対の加熱ローラおよび加圧ローラと、加熱ローラと加圧ローラの向きが逆向きになるように配置することができる。
【００１７】
第２シート搬送部１００は、消去シート積載トレイ１０１と、消去シート搬送ローラ１０２と、第２シート搬送路１０３を備える。消去シート積載トレイ１０１は、消色処理が施されるシート（第２の媒体）が積載される。第２シート搬送路１０３は、定着部３０と転写位置Ｔとの間で第１シート搬送路６３に合流する。そして、消去シート積載トレイ１０１上のシートは消去シート搬送ローラ１０２により第１シート搬送部６３に搬送され、消去用シートが定着部３０に搬送される。
【００１８】
排紙ローラ４２は、定着部３０によって画像形成処理または消色処理が施されたシートを排紙トレイ４１に排紙する。
【００１９】
操作部７０は、モニタを備えており、各種の操作を行う。
【００２０】
セパレータ付排紙トレイ４００は、シート搬送ローラ４０１と、セパレータ４０２と、消去シート排紙トレイ４０３を備える。セパレータ付排紙トレイ４００は、ＭＦＰ１本体上部の凹部分に形成された排紙部４０に配置されている。そして、セパレータ４０２は、消去シート排紙トレイ４０３とシート搬送ローラ４０１との間に位置している。ＭＦＰ１が画像形成処理を行う場合には、セパレータ４０２は図４に示すように消去シート排紙トレイ４０３に対して下方に傾いた第１位置に位置し、画像形成がされたシートを排紙トレイ４１に案内する。一方、ＭＦＰ１が消色処理を行う場合には、セパレータ４０２は図５に示すように消去シート排紙トレイ４０３と同じレベルにある第２位置に位置し、消色処理がなされたシートを消去シート排紙トレイ４０３に案内する。
【００２１】
図２は、ＭＦＰ１の構成を表す制御ブロック図である。
【００２２】
図２において、バスライン５００を介してＭＦＰ１の全体を制御するＣＰＵ８０と、原稿等を読み取るメモリ部５０１と、記憶部５０２と、サーバ５０３と、画像形成部１０と、定着部３０と、排紙ローラ４２と、給紙カセット部５０と、第１シート搬送部６０と、操作部７０と、第２シート搬送部１００と、セパレータ付排紙トレイ４００は接続されている。
【００２３】
ＣＰＵ８０は、メモリ部５０１または記憶部５０２に格納されたプログラムに基づいて所定の処理を実行し、画像形成動作および消色処理動作を制御する。メモリ部５０１は、例えば、RAM(Random Access Memory)、ROM(Read Only Memory)、DRAM、SRAM(Static Random Access Memory)、VRAM(Vieo Ram)、フラッシュメモリを用いることができ、MFP1において利用される種々の情報やプログラムを格納する役割を有している。
【００２４】
図３は、画像形成モードを選択することができる操作部７０を表す図である。
【００２５】
操作部７０は、スタートスイッチ７１と、モニタ７３と、印刷モード選択スイッチ７４と、消色モード選択スイッチ７５、を備える。
【００２６】
ＣＰＵ８０は、画像形成部１０と、定着部３０と、排紙ローラ４２と、給紙カセット部５０と、第１シート搬送部６０と、操作部７０と、第２シート搬送部１００と、セパレータ付排紙トレイ４００を制御し、駆動させる。
【００２７】
操作部７０において、ユーザが操作部７０の印刷モード選択スイッチ７４を押して印刷モードを選択すると、ＣＰＵ８０は印刷モードを実行する。
【００２８】
印刷モードが実行されると、給紙ローラ５２は、給紙カセット部５０内のシートを第１シート搬送路６３内に搬送し、一旦レジストローラ６２で停止させる。そして、レジストローラ６２を所定のタイミングで駆動し、シートを転写位置Ｔに搬送する。
【００２９】
次に、第１シート搬送部６０において、シート搬送ローラ６１は、給紙ローラ５２が搬送したシートをレジストローラ６２間に搬送し、レジストローラ６２は、シート搬送ローラ６１が搬送したシートを所定のタイミングで転写位置Ｔに搬送する。
【００３０】
一方、画像形成部１０において、感光体ドラム１３に形成されたトナー画像をシートに転写し、シートは定着部３０に搬送される。定着部３０は定着温度Ｔ２でシートを加熱、加圧することにより、トナー画像をシートに定着させる。定着済のシートは排紙ローラ４２により排紙トレイ４１に排紙される。
【００３１】
レーザ露光器１１は感光体ドラム１３にレーザ光を照射する。レーザ露光器１１が感光体ドラム１３表面にレーザ光を照射することにより、感光体ドラム１３表面に原稿画像情報の静電潜像を形成する。そして、現像器１２は静電潜像をトナー画像に現像し、転写ローラ１６は感光体ドラム１３に形成されたトナー画像をシートに転写する。
【００３２】
定着部３０はトナー画像が転写されたシートを加熱、加圧し、トナー画像をシートに定着させる。
【００３３】
排紙ローラ４２は定着部３０において加熱されたシートを搬送する。
【００３４】
図４は、画像形成処理を行う際のセパレータ付排紙トレイ４００の動作を示す図である。
【００３５】
シート搬送ローラ４０１は排紙ローラ４２から搬送されたシートを搬送し、セパレータ４０２が第１位置に位置することで、シート搬送ローラ４０１により搬送されたシートを排紙トレイ４１に案内する。
【００３６】
次に、消色モードを選択した場合におけるＭＦＰ１の動作を説明する。
【００３７】
ＣＰＵ８０は、画像形成部１０と、定着部３０と、排紙ローラ４２と、給紙カセット部５０と、第１シート搬送部６０と、操作部７０と、第２シート搬送部１００と、セパレータ付排紙トレイ４００を制御し、駆動させる。
【００３８】
ユーザが操作部７０の消色モード選択スイッチ７５を押して消色モードを選択することにより、ＣＰＵ８０は消色モードを実行する。
【００３９】
消色モードが実行されると、第２シート搬送部１００において、シートは第２シート搬送路１０３を通過する。第２シート搬送路１０３は、転写位置Tと定着部３０との間に位置する合流点において第１シート搬送路６３と合流する。消去シート搬送ローラ１０２は、１０１に積載されたシートを、第２シート搬送路１０３に導き、合流点に搬送する。ＭＦＰ１が第２シート搬送部１００を備えることにより、消色されるシートは転写位置Ｔを通過することなく定着部３０に搬送される。
【００４０】
次に、定着部３０は消去シート搬送ローラ１０２により搬送されたシートを消色温度（Ｔ１）で加熱し、シートに形成された消色可能なトナー画像を消色する。
【００４１】
消色処理を行う際、画像形成部１０の駆動は停止する。シートが転写位置Ｔを通過すると感光体ドラム１３と転写ローラ１６は駆動する必要があるが、消色処理の際にはシートが転写位置Ｔを通過しないため、画像形成部１０の駆動を停止することができる。
【００４２】
図５は、消色処理を行うセパレータ付排紙トレイ４００の動作を示す図である。
【００４３】
排紙ローラ４２は消色されたシートをシート搬送ローラ４０１間に搬送し、シート搬送ローラ４０１は排紙ローラ４２により搬送されたシートを排紙トレイ４１に搬送する。ＭＦＰ１が消色処理を行う場合、セパレータ４０２は図５のように第２位置に位置し、消色されたシートを消去シート排紙トレイ４０３に案内する。ＭＦＰ１がセパレータ付排紙トレイ４００を備えることにより、画像が形成されたシートと消色されたシートを分別することができる。
【００４４】
（第２実施形態）
図６を参照して、第２実施形態について説明する。
図１に示す第１実施形態中の部材と同一機能を有する部材には同一符号を付し、その説明を省略する。
【００４５】
図６は、第２実施形態である画像形成装置２（ＭＦＰ２）の構成を表す図である。
【００４６】
ＭＦＰ２は、消色処理が施されるシートを給紙カセット部５０に収納することができ、定着部３０において消色処理を行ったあとに排紙部４０に排紙することができる。
【００４７】
ＭＦＰ２は、画像形成部１０と、定着部（定着部）３０と、排紙部４０と、給紙カセット部５０と、第１シート搬送部６０と、操作部７０と、第３シート搬送部２００を備える。
【００４８】
第３シート搬送部２００は、セパレータ２０１と、消去シート搬送ローラ２０２と、第３シート搬送路２０３を備える。第３シート搬送路２０３は、レジストローラ６２と転写位置Tの間に位置する分岐点で第１シート搬送路６３から分岐し、定着部３０と転写位置Tの間に位置する合流点において第１シート搬送路６３に合流する。セパレータ２０１は、第３シート搬送路２０３の分岐点と転写位置Tの間に位置する。画像形成処理の際には、セパレータ２０１は、第１位置に位置することで、レジストローラ６２により搬送されたシート（第１の媒体）を転写位置Tに案内する。また、消色処理を行う際には、セパレータ２０１は、第２位置に位置することで、レジストローラ６２から搬送されたシート（第２の媒体）を第３シート搬送路２０３に案内する。消去シート搬送ローラ２０２は、第３シート搬送路２０３に導かれたシートを定着部３０に搬送する。シートが第３シート搬送路２０３を通過することで、シートは転写位置Ｔを通過しない。シートが転写位置Ｔを通過しないため、画像形成部１０は駆動を停止させることができる。
【００４９】
図７は、ＭＦＰ２の構成を表す制御ブロック図である。
【００５０】
図７において、バスライン５００を介してＭＦＰ２の全体を制御するＣＰＵ８０と、メモリ部５０１と、記憶部５０２と、サーバ５０３と、画像形成部１０と、定着部３０と、排紙ローラ４２と、給紙カセット部５０と、第１シート搬送部６０と、操作部７０と、第３シート搬送部２００は接続されている。
【００５１】
ＭＦＰ２が消色処理を行う動作について説明する。MFP２が画像形成処理を行う動作については、MFP１と同様であるため省略する。
【００５２】
ＣＰＵ８０は、画像形成部１０と、定着部３０と、排紙ローラ４２と、給紙カセット部５０と、第１シート搬送部６０と、操作部７０と、第３シート搬送部２００を制御し、駆動させる。
【００５３】
ユーザが操作部７０の消色モード選択スイッチ７５を押して消色モードを選択することにより、ＣＰＵ８０は消色モードを実行する。
【００５４】
まず、給紙ローラ５２はシートを給紙カセット５１から第１シート搬送路６３内に搬送し、シート搬送ローラ６１は、給紙ローラ５２が搬送したシートをレジストローラ６２間に搬送する。次に、レジストローラ６２は、シート搬送ローラ６１により搬送されたシートを転写位置Tまたは第３シート搬送路２０３に搬送する。
【００５５】
第３シート搬送部２００において、セパレータ２０１は第２位置に位置することにより、消色処理が施されるシートを第３シート搬送路２０３に導く。これにより、消色処理の際にシートは転写位置Tを通過しない。
【００５６】
消色処理を行う際、画像形成部１０は駆動を停止する。シートが転写位置Ｔを通過する場合、感光体ドラム１３と転写ローラ１６を駆動させる必要があるが、消色処理の際はシートが転写位置Ｔを通過する必要がないため、画像形成部１０を停止することができる。
【００５７】
排紙ローラ４２は消色されたシートを排紙部４０に搬送する。
【００５８】
要するに本実施形態の構成は以下のようになる。
像担持体に形成したトナー画像を転写位置でシートに転写する画像形成部と、
前記転写位置で転写されたトナー画像を加熱、加圧により第１温度で定着する定着部と、
前記定着部で加熱処理されたシートが排紙される排紙部と、
第１給紙部のシートを前記転写位置から前記定着部を経て、前記排紙部に向けて搬送する第１搬送路を有する第１搬送部と、
前記第１給紙部と前記転写位置との間に位置する分岐点で前記第１搬送路と分岐し、前記転写位置と前記定着部との間に位置する合流点において前記第１搬送路に合流する第３搬送路と、
前記転写位置と前記分岐点の間に位置し、画像形成処理を行う場合は第１位置に位置することによりシートを前記転写位置に案内し、消色処理を行う場合は第２位置に位置することによりシートを前記第３搬送路に案内するシート案内部と
前記第３搬送部によるシート搬送を選択すると、前記第１給紙部のシートを前記第３搬送部から前記定着部を経て前記排紙部に向けて搬送させると共に、前記定着部を前記第１温度よりも高温の第２温度に制御する制御部と、
を有する画像形成装置。
【００５９】
（第３実施形態）
図８を参照して、第３実施形態について説明する。
なお、第１実施形態と同一機能を有する部材には同一符号を付し、その説明を省略する。
【００６０】
図８は、第３実施形態におけるＭＦＰ３の構成を表す図である。
【００６１】
ＭＦＰ３は、画像形成部１０と、定着部（定着部）３０と、排紙部兼シート積載部４０Aと、給紙カセット部兼シート排紙部５０Aと、第１シート搬送部６０Aと、操作部７０と、第４シート搬送部３００と、消去シート給紙部３１０を備える。排紙部兼シート積載部４０Aは、排紙トレイ４１Aと排紙ローラ４２Aを備える。給紙カセット部兼シート排紙部５０Aは、給紙および排紙カセット５１Aと、給紙および給紙兼排紙ローラ５２Aを備える。第１シート搬送部６０Aは、シート搬送ローラ６１Aと、レジストローラ６２Aと、第１シート搬送路６３を備える。
【００６２】
排紙ローラ４２Aと、給紙および給紙兼排紙ローラ５２Aと、シート搬送ローラ６１Aと、レジストローラ６２Aは、画像形成処理を行う場合は正回転し、消色処理を行う場合とでは逆回転する。
【００６３】
ＭＦＰ３が消色処理を行う際にシート（第２の媒体）が通過する経路は、MFP３が画像形成処理を行う際にシート（第１の媒体）が通過する経路と逆になる。ＭＦＰ３が消色処理を行う場合において、消色処理がなされるシートは、排紙部兼シート積載部４０Aに配置された消去シート給紙部３１０から定着部３０に搬送され、定着部３０で消色された後、給紙カセット部兼シート排紙部５０Aに排出される。
【００６４】
消去シート給紙部３１０は、消去シート給紙トレイ３１１と、消去シート給紙ローラ３１２を備える。ユーザは、消去シート給紙トレイ３１１に消色処理が施されるシートを置く。消去シート給紙ローラ３１２は、消去シート給紙トレイ３１１に置かれたシートを第１シート搬送経路６３に搬送する。
【００６５】
第４シート搬送部３００は、セパレータ３０１と、消去シート搬送ローラ３０２と、第４シート搬送路３０３を備える。
第４シート搬送路３０３は、定着部３０と転写位置Tの間に位置する分岐点において第１シート搬送路６３と分岐し、転写位置Ｔとレジストローラ６２Aとの間に位置する合流点において第１シート搬送路６３に合流する。MFP３が第４シート搬送路３０３を備えることで、消色処理の際にシートは転写位置Ｔを通過しない。セパレータ３０１は、定着部３０と上述した第４シート搬送路３０３の分岐点との間に位置している。セパレータ３０１が第１位置に位置する場合、セパレータ３０１は転写位置Tから搬送されたシートを定着部３０に案内する。セパレータ３０１が第２位置に位置する場合、セパレータ３０１は定着部３０で加熱されたシートを第４シート搬送路３０３に案内する。消去シート搬送ローラ３０２は、第４シート搬送路３０３に案内されたシートをレジストローラ６２に向けて搬送する。MFP３が第４シート搬送部を有することにより、消色処理を行う際にシートが転写位置Tを通過することがないため、消色処理を行う際に画像形成部１０が駆動することを停止できる。
【００６６】
図９は、ＭＦＰ３の構成を表す制御ブロック図である。
【００６７】
図９において、バスライン５００を介してＭＦＰ３の全体を制御するＣＰＵ８０と、メモリ部５０１と、記憶部５０２と、サーバ５０３と、画像形成部１０と、定着部３０と、排紙ローラ４２Aと、給紙カセット部兼シート排紙部５０Aと、第１シート搬送部６０Aと、操作部７０と、第４シート搬送部３００と、消去シート給紙部３１０は接続されている。
【００６８】
ＭＦＰ３が消色処理を行う動作について説明する。MFP３が画像形成を行う動作についてはMFP２が画像形成を行う動作と同様であるため、説明を省略する。
【００６９】
ＣＰＵ８０は、画像形成部１０と、定着部３０と、排紙ローラ４２Aと、給紙カセット部兼シート排紙部５０Aと、第１シート搬送部６０Aと、操作部７０と、第４シート搬送部３００と、消去シート給紙部３１０を制御し、駆動させる。
【００７０】
消去シート給紙ローラ３１２は、消去シート給紙トレイ３１１に置かれたシートを排紙ローラ４２Aに搬送し、排紙ローラ４２Aは消去シート給紙ローラ３１２により搬送されたシートを定着部３０に搬送する。
【００７１】
定着部３０はシートに形成された消色可能なトナー画像を消色する。
【００７２】
画像形成部１０は、消色処理を行う際には動作を停止される。上述の通り、MFP３が、第４シート搬送路３０３を有することにより、消色処理の際にシートは転写位置Tを通過しない。これにより、消色処理の際に画像形成部１０は動作を停止することができる。
【００７３】
第４シート搬送部３００において、セパレータ３０１は、第２位置に位置することで定着部３０において加熱されたシートを第４シート搬送路３０３に案内する。消去シート搬送ローラ３０２は第４シート搬送部に搬送されたシートをレジストローラ６２Aに搬送し、レジストローラ６２Aは消去シート搬送ローラ３０２により搬送されたシートをシート搬送ローラ６１Aに搬送する。
【００７４】
シート搬送ローラ６１Aはレジストローラ６２Aより搬送されたシートを給紙カセット５１Aに搬送する。この際、シート搬送ローラ６１Aの回転方向は画像形成処理を行う際の回転方向と逆方向に回転する。
【００７５】
要するに本実施形態の構成は以下のようになる。
像担持体に形成したトナー画像を転写位置でシートに転写する画像形成部と、
前記転写位置で転写されたトナー画像を加熱、加圧により第１温度で定着する定着部と、
前記定着部で加熱処理されたシートが排紙される排紙部と、
第１給紙部のシートを前記転写位置から前記定着部を経て、前記排紙部に向けて搬送する第１搬送路を有する第１搬送部と、
前記排紙部上に位置しており、消色されるシートを前記排紙部から前記第１搬送路に搬送する第２給紙部と、
前記転写位置と前記定着部との間に位置する分岐点において前記第１搬送路から分岐し、前記第１給紙部と前記転写位置との間に位置する合流点で前記第１搬送路と合流する第２搬送部と、
前記転写位置と前記分岐点との間に位置し、画像形成処理を行う場合は第１位置に位置することによりシートを前記転写位置から前記定着部に案内し、消色処理を行う場合は第２位置に位置することにより前記定着部により消色されたシートを前記第２搬送路に案内するシート案内部と
前記第２搬送部によるシート搬送を選択すると、前記第２給紙部のシートを前記定着部から前記第２搬送部を経て前記第１給紙部に向けて搬送させると共に、前記定着部を前記第１温度よりも高温の第２温度に制御する制御部と、
を有する画像形成装置。
【００７６】
（第４実施形態）
図１０を参照して、第４実施形態について説明する。
なお、第１実施形態と同一機能を有する部材には同一符号を付し、その説明を省略する。
【００７７】
図１０に示す本実施形態は、第１実施形態の変形例を示し、電子写真方式の画像形成部１０に代えて、インクジェット方式の画像形成部６００を用いている。画像形成部６００は、消色性インクまたは非消色性インクによりシート（第１の媒体）に画像を形成する。なお、図１に示す転写ローラ１６に代えて、本実施形態ではプラテン６０１を用いている。また、図１に示す定着部３０に代えて、加熱部６０２を用いている。定着部３０は、シート（第１の媒体）にトナーを定着させる定着機能と、シート（第２の媒体）に形成された消色性トナーによる画像を消色する消色機能の両方を有しているのに対し、加熱部６０２は、消色機能のみを有する。また、定着部３０は、排紙ローラ４２のシート搬送方向において上流側、第１シート搬送路６３と第２シート搬送路１０３の合流点のシート搬送方向において下流側に位置しているのに対し、加熱部６００は、第２シート搬送路１０３中に位置している。
【００７８】
（第５実施形態）
図１１を参照して、第５実施形態について説明する。
なお、第２実施形態と同一機能を有する部材には同一符号を付し、その説明を省略する。
【００７９】
第５実施形態において、図６に示す画像形成部１０に代えて画像形成部６０６用いている。画像形成部６０６は、インクジェット方式であり、消色性インクまたは非消色性インクによりシート（第１の媒体）に画像を形成できる。また、図６に示す転写ローラ１６に代えて、プラテン６０１を用いている。さらに、図６に示す定着部３０に代えて、消色部６０２を用いている。定着部３０は、シート（第１の媒体）にトナーを定着させる定着機能と、シート（第２の媒体）に形成された消色性トナーによる画像を消色する消色機能の両方を有しているのに対し、消色部６０２は、消色機能のみを有する。また、定着部３０は、排紙ローラ４２のシート搬送方向において上流側、第１シート搬送路６３と第２シート搬送路１０３の合流点のシート搬送方向において下流側に位置しているのに対し、加熱部６００は、第２シート搬送路１０３中に位置している。
【００８０】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００８１】
１  画像形成装置、１０  画像形成部、３０  定着部、４０  排紙部、５０  給紙カセット部、６０  第１シート搬送部、１００  第２シート搬送部、４００  セパレータ内蔵型トレイ。
【図１】
0005860016.tif 000002
【図２】
0005860016.tif 000003
【図３】
0005860016.tif 000004
【図４】
0005860016.tif 000005
【図５】
0005860016.tif 000006
【図６】
0005860016.tif 000007
【図７】
0005860016.tif 000008
【図８】
0005860016.tif 000009
【図９】
0005860016.tif 000010
【図１０】
0005860016.tif 000011
【図１１】
0005860016.tif 000012